(57)【要約】【課題】照射される光の光軸と使用者の視線のずれとを抑制しつつ、装置全体を小型化することができ、かつ、使用者が自分の眼鏡またはサングラスを使用しながら使用可能な照明装置を提供する。【解決手段】照明装置は、開口を有する支持部と、支持部のうちの開口のまわりの部分に配列された複数のＬＥＤと、照明装置の使用者の眼鏡またはサングラスと支持部とを接続する接続部とを備えている。照明装置の使用時に、開口は、照明装置の使用者の一方の眼の視線上に配置される。【選択図】図１
2018190654.tif 000002
【特許請求の範囲】
【請求項１】
開口を有する支持部と、
前記支持部のうちの前記開口のまわりの部分に配列された複数のＬＥＤと、
照明装置の使用者の眼鏡またはサングラスと前記支持部とを接続する接続部とを備え、
前記照明装置の使用時に、前記開口は、前記照明装置の使用者の一方の眼の視線上に配置される、
照明装置。
【請求項２】
二次電池を内蔵したバッテリ部を更に備え、
前記照明装置の使用時に、前記バッテリ部は、前記支持部に装着され、前記二次電池から前記ＬＥＤへの給電を行う、
請求項１に記載の照明装置。
【請求項３】
前記複数のＬＥＤは、少なくとも第１ＬＥＤ群と、第２ＬＥＤ群とを含み、
前記第１ＬＥＤ群は、複数のＬＥＤを含み、
前記第２ＬＥＤ群は、複数のＬＥＤを含み、
前記第１ＬＥＤ群の複数のＬＥＤの光軸が交差する第１位置と、前記第２ＬＥＤ群の複数のＬＥＤの光軸が交差する第２位置とは異なっており、
前記照明装置は、
前記第１ＬＥＤ群がオンし、前記第２ＬＥＤ群がオフする第１モードと、
前記第１ＬＥＤ群がオフし、前記第２ＬＥＤ群がオンする第２モードとを有する、
請求項１又は請求項２に記載の照明装置。
【請求項４】
前記複数のＬＥＤは、少なくとも、第１の色の光を照射する第１ＬＥＤ群と、前記第１の色とは異なる第２の色の光を照射する第２ＬＥＤ群とを含み、
前記照明装置は、
前記第１ＬＥＤ群がオンし、前記第２ＬＥＤ群がオフする第３モードと、
前記第１ＬＥＤ群がオフし、前記第２ＬＥＤ群がオンする第４モードとを有する、
請求項１又は請求項２に記載の照明装置。
【請求項５】
前記第１ＬＥＤ群および前記第２ＬＥＤ群を制御する制御部と、
前記照明装置の使用者の音声指示の入力を受け付ける入力部とを更に備え、
前記制御部は、前記照明装置の使用者の音声指示に基づいて、前記第１ＬＥＤ群および前記第２ＬＥＤ群を制御する、
請求項３又は請求項４に記載の照明装置。
【請求項６】
前記接続部は、
前記照明装置の使用者の眼鏡またはサングラスに接続されるクリップ部と、
前記クリップ部に対して回転可能に前記支持部を前記クリップ部に連結するヒンジ部とを有する、
請求項１に記載の照明装置。
【請求項７】
前記クリップ部に対して前記支持部を回転させるモータと、
二次電池を内蔵したバッテリ部とを更に備え、
前記照明装置の使用時に、前記バッテリ部は、前記支持部に装着され、前記二次電池から前記モータへの給電を行う、
請求項６に記載の照明装置。
【請求項８】
前記モータを制御する制御部と、
前記照明装置の使用者の音声指示の入力を受け付ける入力部とを更に備え、
前記制御部は、前記照明装置の使用者の音声指示に基づいて、前記モータを制御する、
請求項７に記載の照明装置。
【発明の詳細な説明】
【技術分野】
【０００１】
本発明は、照明装置に関する。
【背景技術】
【０００２】
従来、孔が中央に形成された枠体と、その枠体に環状に配列された複数の光ファイバの発光部とを有する額帯電灯が知られている（例えば、特許文献１を参照）。特許文献１に記載された額帯電灯は、枠体の孔が額帯電灯の使用者の眼の前に位置するように装着され、使用される。
【先行技術文献】
【特許文献】
【０００３】
【特許文献１】特開平７−１２４１７２号公報
【発明の概要】
【発明が解決しようとする課題】
【０００４】
特許文献１に記載された額帯電灯では、発光部が使用者の眼から離れた位置に配置される場合よりも、発光部から照射される光の光軸と使用者の視線とのずれを抑制することができる。
ところで、特許文献１に記載された額帯電灯では、光源がケーブルの一方の端部に配置され、発光部がケーブルの他方の端部に配置される光ファイバが用いられる。そのため、装置全体が大型化してしまう。
また、特許文献１に記載された額帯電灯は、キャップ状の額帯によって使用者の頭部に装着される。そのため、使用者は、自分の眼鏡またはサングラスを使用しながら、特許文献１に記載された額帯電灯を使用することができない。
【０００５】
本発明は、上記問題を解決すべくなされたもので、その目的は、照射される光の光軸と使用者の視線のずれとを抑制しつつ、装置全体を小型化することができ、かつ、使用者が自分の眼鏡またはサングラスを使用しながら使用可能な照明装置を提供することにある。
【課題を解決するための手段】
【０００６】
本発明の一実施形態は、開口を有する支持部と、前記支持部のうちの前記開口のまわりの部分に配列された複数のＬＥＤと、照明装置の使用者の眼鏡またはサングラスと前記支持部とを接続する接続部とを備え、前記照明装置の使用時に、前記開口は、前記照明装置の使用者の一方の眼の視線上に配置される、照明装置である。
【０００７】
本発明の一実施形態では、上述の照明装置は、二次電池を内蔵したバッテリ部を更に備え、前記照明装置の使用時に、前記バッテリ部は、前記支持部に装着され、前記二次電池から前記ＬＥＤへの給電を行う。
【０００８】
本発明の一実施形態では、上述の照明装置において、前記複数のＬＥＤは、少なくとも第１ＬＥＤ群と、第２ＬＥＤ群とを含み、前記第１ＬＥＤ群は、複数のＬＥＤを含み、前記第２ＬＥＤ群は、複数のＬＥＤを含み、前記第１ＬＥＤ群の複数のＬＥＤの光軸が交差する第１位置と、前記第２ＬＥＤ群の複数のＬＥＤの光軸が交差する第２位置とは異なっており、前記照明装置は、前記第１ＬＥＤ群がオンし、前記第２ＬＥＤ群がオフする第１モードと、前記第１ＬＥＤ群がオフし、前記第２ＬＥＤ群がオンする第２モードとを有する。
【０００９】
本発明の一実施形態では、上述の照明装置において、前記複数のＬＥＤは、少なくとも、第１の色の光を照射する第１ＬＥＤ群と、前記第１の色とは異なる第２の色の光を照射する第２ＬＥＤ群とを含み、前記照明装置は、前記第１ＬＥＤ群がオンし、前記第２ＬＥＤ群がオフする第３モードと、前記第１ＬＥＤ群がオフし、前記第２ＬＥＤ群がオンする第４モードとを有する。
【００１０】
本発明の一実施形態では、上述の照明装置は、前記第１ＬＥＤ群および前記第２ＬＥＤ群を制御する制御部と、前記照明装置の使用者の音声指示の入力を受け付ける入力部とを更に備え、前記制御部は、前記照明装置の使用者の音声指示に基づいて、前記第１ＬＥＤ群および前記第２ＬＥＤ群を制御する。
【００１１】
本発明の一実施形態では、上述の照明装置において、前記接続部は、前記照明装置の使用者の眼鏡またはサングラスに接続されるクリップ部と、前記クリップ部に対して回転可能に前記支持部を前記クリップ部に連結するヒンジ部とを有する。
【００１２】
本発明の一実施形態では、上述の照明装置は、前記クリップ部に対して前記支持部を回転させるモータと、二次電池を内蔵したバッテリ部とを更に備え、前記照明装置の使用時に、前記バッテリ部は、前記支持部に装着され、前記二次電池から前記モータへの給電を行う。
【００１３】
本発明の一実施形態では、上述の照明装置は、前記モータを制御する制御部と、前記照明装置の使用者の音声指示の入力を受け付ける入力部とを更に備え、前記制御部は、前記照明装置の使用者の音声指示に基づいて、前記モータを制御する。
【発明の効果】
【００１４】
この発明によれば、照射される光の光軸と使用者の視線のずれとを抑制しつつ、装置全体を小型化することができ、かつ、使用者が自分の眼鏡またはサングラスを使用しながら使用可能な照明装置を提供することができる。
【図面の簡単な説明】
【００１５】
【図１】第１実施形態の照明装置の一例を示す概略構成図である。
【図２】図１に示す第１実施形態の照明装置の概略のブロック図である。
【図３】第３実施形態の照明装置の一例を示す概略構成図である。
【図４】図３に示す第３実施形態の照明装置の接続部のクリップ部、ヒンジ部およびモータのステータの関係を示す分解斜視図である。
【図５】図３に示す第３実施形態の照明装置１の概略のブロック図である。
【発明を実施するための形態】
【００１６】
［第１実施形態］
以下、図面を参照して、本発明の実施形態を説明する。まず、図１を参照して、第１実施形態の照明装置１の構成について説明する。
【００１７】
＜照明装置１の構成＞
図１は、第１実施形態の照明装置１の一例を示す概略構成図である。詳細には、図１（Ａ）は、第１実施形態の照明装置１が、照明装置１の使用者の眼鏡Ｇに対して装着される様子を示す図である。図１（Ｂ）は、照明装置１の使用状態における照明装置１と眼鏡Ｇとの関係を示す図である。図１（Ｃ）は、照明装置１の不使用状態（跳ね上げ状態）における照明装置１と眼鏡Ｇとの関係を示す図である。図２は、図１に示す第１実施形態の照明装置１の概略のブロック図である。
図１および図２に示す例では、照明装置１が、支持部１１と、複数のＬＥＤ（発光ダイオード）１２ａ、…、１２ｌと、接続部１３と、バッテリ部１４と、制御部１５と、入力部１６とを備えている。図２に示すように、バッテリ部１４は、ＬＥＤ１２ａ、…、１２ｌに接続されている。また、制御部１５は、ＬＥＤ１２ａ、…、１２ｌと、入力部１６とに接続されている。
支持部１１は、開口１１ａを有する。複数のＬＥＤ１２ａ、…、１２ｌは、支持部１１のうちの開口１１ａのまわりの部分に配列されている。
接続部１３は、照明装置１の使用者の眼鏡Ｇと支持部１１とを接続する。また、接続部１３は、クリップ部１３ａと、ヒンジ部１３ｂとを有する。ヒンジ部１３ｂは、クリップ部１３ａに対して回転可能に、支持部１１をクリップ部１３ａに連結する。
バッテリ部１４は、二次電池（図示せず）を内蔵している。照明装置１の使用時には、バッテリ部１４が、図１に示すように、支持部１１に装着され、二次電池からＬＥＤ１２ａ、…、１２ｌへの給電を行う。つまり、第１実施形態の照明装置１が適用された図１および図２に示す例では、給電コードが存在しないため、給電コードの断線、引っ掛かりなどの問題を回避することができる。
制御部１５は、ＬＥＤ１２ａ、…、１２ｌを制御する。入力部１６は、照明装置１の使用者の音声指示の入力を受け付ける。つまり、制御部１５は、使用者の音声指示に基づいて、ＬＥＤ１２ａ、…、１２ｌを制御する。
図１に示す例では、支持部１１がフレーム状に構成されているが、他の例では、支持部１１を板状（面状）に構成してもよい。つまり、図１に示す例では、フレーム状の支持部１１のうちの開口１１ａのまわりの部分に、複数のＬＥＤ１２ａ、…、１２ｌが配列される。一方、他の例では、板状の支持部１１のうちの開口１１ａのまわりの部分に、複数のＬＥＤ１２ａ、…、１２ｌが配列される。
【００１８】
図１に示す例では、クリップ部１３ａは、公知のクリップオンサングラス（「前掛けグラス」とも称する。）のクリップ部と同様に構成されている。また、ヒンジ部１３ｂは、跳ね上げ機能を有する公知のクリップオンサングラスのヒンジ部と同様に構成されている。
図１に示す例では、クリップ部１３ａが、照明装置１の使用者の眼鏡Ｇのブリッジ部Ｇ１に接続される。ブリッジ部Ｇ１は、眼鏡Ｇの左レンズ用支持部Ｇ２と右レンズ用支持部とを接続している。他の例では、代わりに、クリップ部１３ａを、照明装置１の使用者の眼鏡Ｇの左レンズ用支持部Ｇ２に接続してもよい。
図１に示す例では、例えば照明装置１の不使用時に、照明装置１の使用者は、ヒンジ部１３ｂの回転軸（図示せず）を中心に支持部１１を手動で回転させることによって、支持部１１を図１（Ｂ）に示す位置から図１（Ｃ）に示す位置まで跳ね上げることができる。
【００１９】
図１に示す例では、照明装置１の使用時に、支持部１１が、図１（Ｂ）に示す位置に配置される。その結果、開口１１ａは、照明装置１の使用者の一方の眼（図１（Ｂ）に示す例では、使用者の左眼）の視線上に配置される。制御部１５は、使用者の音声指示に基づいて、ＬＥＤ１２ａ、…、１２ｌをオンする。図１（Ｂ）に示す状態では、複数のＬＥＤ１２ａ、…、１２ｌからの光が、照明装置１の使用者の視線上に照射される。
照明装置１の不使用時には、制御部１５が、使用者の音声指示に基づいて、ＬＥＤ１２ａ、…、１２ｌをオフする。
【００２０】
第１実施形態の照明装置１では、複数のＬＥＤ１２ａ、…、１２ｌと使用者の左眼との間隔が、使用者の鼻と左眼との間隔よりも小さい。そのため、第１実施形態の照明装置１では、複数のＬＥＤ１２ａ、…、１２ｌと使用者の左眼との間隔が大きい場合よりも、複数のＬＥＤ１２ａ、…、１２ｌから照射される光の光軸と使用者の視線とのずれを抑制することができる。
また、第１実施形態の照明装置１では、複数のＬＥＤ１２ａ、…、１２ｌが用いられ、光ファイバは用いられない。そのため、第１実施形態の照明装置１では、光ファイバが用いられる場合よりも、照明装置１の全体を小型化することができる。
また、第１実施形態の照明装置１では、クリップ部１３ａが、使用者の眼鏡Ｇに接続される。そのため、使用者は、自分の眼鏡Ｇを使用しながら、照明装置１を使用することができる。
【００２１】
第１実施形態の照明装置１が適用された図１および図２に示す例では、支持部１１に配列された複数のＬＥＤ１２ａ、…、１２ｌが、第１ＬＥＤ群１２−１と、第２ＬＥＤ群１２−２とを含む。第１ＬＥＤ群１２−１は、複数のＬＥＤ１２ａ、１２ｂ、１２ｃ、１２ｄ、１２ｅ、１２ｆを含む。第２ＬＥＤ群１２−２は、複数のＬＥＤ１２ｇ、１２ｈ、１２ｉ、１２ｊ、１２ｋ、１２ｌを含む。
第１ＬＥＤ群１２−１の複数のＬＥＤ１２ａ、…、１２ｆの光軸は、支持部１１が図１（Ｂ）に示す位置に配置されている場合に、使用者の視線上の第１位置で交差するように設定されている。第２ＬＥＤ群１２−２の複数のＬＥＤ１２ｇ、…、１２ｌの光軸は、支持部１１が図１（Ｂ）に示す位置に配置されている場合に、第１位置よりも支持部１１から離れた使用者の視線上の第２位置で交差するように設定されている。つまり、第１位置と第２位置とは異なっている。
また、第１実施形態の照明装置１は、第１モードと、第２モードとを有する。使用者が音声指示によって第１モードを選択した場合には、制御部１５が、第１ＬＥＤ群１２−１の複数のＬＥＤ１２ａ、…、１２ｆをオンし、第２ＬＥＤ群１２−２の複数のＬＥＤ１２ｇ、…、１２ｌをオフする。一方、使用者が音声指示によって第２モードを選択した場合には、制御部１５が、第１ＬＥＤ群１２−１の複数のＬＥＤ１２ａ、…、１２ｆをオフし、第２ＬＥＤ群１２−２の複数のＬＥＤ１２ｇ、…、１２ｌをオンする。
すなわち、第１実施形態の照明装置１は、第１モードと第２モードとで異なる位置に光を照射することができる。
【００２２】
第１実施形態の照明装置１が適用された図１および図２に示す例では、上述したように、制御部１５が、第１ＬＥＤ群１２−１および第２ＬＥＤ群１２−２を制御する。また、制御部１５は、照明装置１の使用者の音声指示に基づいて、第１ＬＥＤ群１２−１および第２ＬＥＤ群１２−２を制御する。
そのため、照明装置１の使用者は、自分の手を用いることなく、第１ＬＥＤ群１２−１および第２ＬＥＤ群１２−２を制御することができる。詳細には、照明装置１の使用者は、自分の手を用いることなく、第１モードと第２モードとを切り替えることができ、光が照射される位置を切り替えることができる。
【００２３】
第１実施形態の照明装置１が適用された図１に示す例では、照明装置１が、照明装置１の使用者の眼鏡Ｇに接続された状態で用いられるが、他の例では、代わりに、照明装置１を、使用者のサングラス（図示せず）に接続した状態で用いてもよい。
第１実施形態の照明装置１が適用された図１および図２に示す例では、入力部１６が、支持部１１に接続されているが、他の例では、入力部１６として、照明装置１の使用者の携帯端末のマイクロフォンを用いてもよい。この例では、入力部１６として機能する照明装置１の使用者の携帯端末と、照明装置１の制御部１５とが、例えば無線通信を介して接続される。
【００２４】
［第２実施形態］
以下、第２実施形態の照明装置１について説明する。第２実施形態の照明装置１は、後述する点を除き、第１実施形態の照明装置１と同様に構成されている。従って、第２実施形態の照明装置１によれば、後述する点を除き、第１実施形態の照明装置１と同様の効果を奏することができる。
【００２５】
第１実施形態の照明装置１が適用された図１および図２に示す例では、支持部１１が図１（Ｂ）に示す位置に配置されている場合に、第１ＬＥＤ群１２−１の複数のＬＥＤ１２ａ、…、１２ｆの光軸が第１位置で交差し、第２ＬＥＤ群１２−２の複数のＬＥＤ１２ｇ、…、１２ｌの光軸が第１位置とは異なる第２位置で交差する。一方、第２実施形態の照明装置１が適用された一例では、支持部１１が図１（Ｂ）に示す位置に配置されている場合に、第１ＬＥＤ群１２−１の複数のＬＥＤ１２ａ、…、１２ｆの光軸が第１位置で交差し、第２ＬＥＤ群１２−２の複数のＬＥＤ１２ｇ、…、１２ｌの光軸も第１位置で交差する。
また、第１実施形態の照明装置１が適用された図１および図２に示す例では、第１ＬＥＤ群１２−１の複数のＬＥＤ１２ａ、…、１２ｆと、第２ＬＥＤ群１２−２の複数のＬＥＤ１２ｇ、…、１２ｌとが同一の色の光を照射する。一方、第２実施形態の照明装置１が適用された例では、第１ＬＥＤ群１２−１の複数のＬＥＤ１２ａ、…、１２ｆが第１の色の光を照射し、第２ＬＥＤ群１２−２の複数のＬＥＤ１２ｇ、…、１２ｌが、第１の色とは異なる第２の色の光を照射する。
【００２６】
第２実施形態の照明装置１は、第３モードと、第４モードとを有する。使用者が音声指示によって第３モードを選択した場合には、制御部１５が、第１ＬＥＤ群１２−１の複数のＬＥＤ１２ａ、…、１２ｆをオンし、第２ＬＥＤ群１２−２の複数のＬＥＤ１２ｇ、…、１２ｌをオフする。その結果、第１ＬＥＤ群１２−１の複数のＬＥＤ１２ａ、…、１２ｆが、第１の色の光を第１位置に照射する。
一方、使用者が音声指示によって第４モードを選択した場合には、制御部１５が、第１ＬＥＤ群１２−１の複数のＬＥＤ１２ａ、…、１２ｆをオフし、第２ＬＥＤ群１２−２の複数のＬＥＤ１２ｇ、…、１２ｌをオンする。その結果、第２ＬＥＤ群１２−２の複数のＬＥＤ１２ｇ、…、１２ｌが、第２の色の光を第１位置に照射する。
すなわち、第２実施形態の照明装置１は、第３モードと第４モードとで異なる色の光を照射することができる。
【００２７】
詳細には、第２実施形態の照明装置１が適用された例では、制御部１５が、第１ＬＥＤ群１２−１および第２ＬＥＤ群１２−２を制御する。また、制御部１５は、照明装置１の使用者の音声指示に基づいて、第１ＬＥＤ群１２−１および第２ＬＥＤ群１２−２を制御する。
そのため、照明装置１の使用者は、自分の手を用いることなく、第１ＬＥＤ群１２−１および第２ＬＥＤ群１２−２を制御することができる。詳細には、照明装置１の使用者は、自分の手を用いることなく、第３モードと第４モードとを切り替えることができ、光の用途などに応じて、照明装置１から照射される光の色を切り替えることができる。
【００２８】
［第３実施形態］
以下、第３実施形態の照明装置１について説明する。第３実施形態の照明装置１は、後述する点を除き、第１実施形態の照明装置１と同様に構成されている。従って、第３実施形態の照明装置１によれば、後述する点を除き、第１実施形態の照明装置１と同様の効果を奏することができる。
【００２９】
＜照明装置１の構成＞
図３は、第３実施形態の照明装置１の一例を示す概略構成図である。図４は、図３に示す第３実施形態の照明装置１の接続部１３のクリップ部１３ａ、ヒンジ部１３ｂおよびモータ１７のステータ１７ａの関係を示す分解斜視図である。図５は、図３に示す第３実施形態の照明装置１の概略のブロック図である。
第３実施形態の照明装置１が適用された図３から図５に示す例では、照明装置１が、支持部１１と、複数のＬＥＤ１２ａ、…、１２ｌと、接続部１３と、バッテリ部１４と、制御部１５と、入力部１６と、モータ１７とを備えている。図５に示すように、バッテリ部１４は、ＬＥＤ１２ａ、…、１２ｌと、モータ１７とに接続されている。また、制御部１５は、ＬＥＤ１２ａ、…、１２ｌと、モータ１７と、入力部１６とに接続されている。
図４に示すように、モータ１７は、ステータ１７ａを有する。接続部１３のヒンジ部１３ｂは、回転軸１３ｂ１を有する。接続部１３のクリップ部１３ａは、回転軸１３ｂ１を回転可能に支持する軸受部１３ａ１を有する。回転軸１３ｂ１は、モータ１７のロータとして機能する。モータ１７のステータ１７ａは、クリップ部１３ａに固定される。モータ１７が回転軸１３ｂ１を回転させることによって、ヒンジ部１３ｂは、クリップ部１３ａに対して回転する。つまり、モータ１７は、ヒンジ部１３ｂに接続された支持部１１を、クリップ部１３ａに対して回転させる。
【００３０】
第３実施形態の照明装置１が適用された図３から図５に示す例では、第１実施形態の照明装置１と同様に、バッテリ部１４が、二次電池（図示せず）を内蔵している。照明装置１の使用時には、バッテリ部１４が、図３に示すように、支持部１１に装着され、二次電池からＬＥＤ１２ａ、…、１２ｌへの給電を行う。また、バッテリ部１４は、二次電池からモータ１７への給電を行う。つまり、第３実施形態の照明装置１が適用された図３から図５に示す例では、給電コードが存在しないため、給電コードの断線、引っ掛かりなどの問題を回避しつつ、モータ１７が発生する力によって、支持部１１を照明装置１の使用者の眼鏡Ｇに対して回転させる（跳ね上げる）ことができる。
制御部１５は、ＬＥＤ１２ａ、…、１２ｌおよびモータ１７を制御する。入力部１６は、照明装置１の使用者の音声指示の入力を受け付ける。つまり、制御部１５は、使用者の音声指示に基づいて、ＬＥＤ１２ａ、…、１２ｌおよびモータ１７を制御する。
【００３１】
第３実施形態の照明装置１が適用された図３から図５に示す例では、例えば照明装置１の不使用時に、照明装置１の使用者が、支持部１１を図１（Ｂ）に示す位置から図１（Ｃ）に示す位置まで跳ね上げる旨の音声指示を入力部１６に入力する。制御部１５は、使用者の音声指示に基づいて、モータ１７を制御する。モータ１７は、ヒンジ部１３ｂの回転軸１３ｂ１を回転させることによって、支持部１１を図１（Ｂ）に示す位置から図１（Ｃ）に示す位置まで跳ね上げる。つまり、照明装置１の使用者は、例えば照明装置１の不使用時に、自分の手を用いることなく、支持部１１を使用者の眼鏡Ｇに対して回転させる（跳ね上げる）ことができる。
【００３２】
第１実施形態の照明装置１が適用された図１および図２に示す例では、支持部１１が図１（Ｂ）に示す位置に配置されている場合に、第１ＬＥＤ群１２−１の複数のＬＥＤ１２ａ、…、１２ｆの光軸が第１位置で交差し、第２ＬＥＤ群１２−２の複数のＬＥＤ１２ｇ、…、１２ｌの光軸が第１位置とは異なる第２位置で交差する。一方、第３実施形態の照明装置１が適用された図３から図５に示す例では、支持部１１が図１（Ｂ）に示す位置に配置されている場合に、第１ＬＥＤ群１２−１の複数のＬＥＤ１２ａ、…、１２ｆの光軸が第１位置で交差し、第２ＬＥＤ群１２−２の複数のＬＥＤ１２ｇ、…、１２ｌの光軸も第１位置で交差する。
【００３３】
以上、本発明の実施形態を図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００３４】
１…照明装置、１１…支持部、１１ａ…開口、１２ａ、１２ｂ、１２ｃ、１２ｄ、１２ｅ、１２ｆ…ＬＥＤ、１２−１…第１ＬＥＤ群、１２ｇ、１２ｈ、１２ｉ、１２ｊ、１２ｋ、１２ｌ…ＬＥＤ、１２−２…第２ＬＥＤ群、１３…接続部、１３ａ…クリップ部、１３ａ１…軸受部、１３ｂ…ヒンジ部、１３ｂ１…回転軸、１４…バッテリ部、１５…制御部、１６…入力部、１７…モータ、１７ａ…ステータ
【図１】
2018190654.tif 000003
【図２】
2018190654.tif 000004
【図３】
2018190654.tif 000005
【図４】
2018190654.tif 000006
【図５】
2018190654.tif 000007